(57)【特許請求の範囲】
【請求項１】
便器洗浄タンク内において上下動自在に支持せしめたオーバーフロー管と、該オーバーフロー管の外周に設けた弁体と、該弁体を上方から着座せしめるように上記便器洗浄タンク内の底部に設けた弁座と、上記便器洗浄タンク内における底面から所定高さに取り付け支持し、上記弁体の上記弁座への着座を遅延せしめる制御孔を開設した制御槽と、同制御槽内に上部が開口する形で形成した貯水室と、該貯水室において浮き沈み自在に収納し、上記オーバーフロー管と共動するフロートとを具備して成る便器洗浄タンク用排水弁において、前記オーバーフロー管と制御槽とフロートとの相互を着脱可能に組み付け、更に上記制御槽に係止部を設け、該係止部を、便器洗浄タンクの底面から立ち上げて適度な弾性を具有せしめた係止体に対し上方から着脱可能に掛止して成る便器洗浄タンク用排水弁の構造。
【請求項２】
上記制御槽の係止部を、上記制御槽の下端部に一体成形してなる請求項１記載の便器洗浄タンク用排水弁の構造。
【請求項３】
上記係止体を、爪片と、該爪片の下方に所定の間隙を介して配設したストッパ片とから構成した請求項１記載の便器洗浄タンク用排水弁の構造。
【請求項４】
上記爪片とストッパ片とを上記係止体に一体成形して成る請求項３記載の便器洗浄用排水弁の構造。
【請求項５】
上記係止体の爪片とストッパ片とをそれぞれ別体に形成すると共に、これらを便器洗浄タンク内の底面から立ち上げて形成している請求項４記載の便器洗浄タンク用排水弁の構造。
【請求項６】
便器洗浄タンクを合成樹脂にて構成し、該便器洗浄タンクに爪片とストッパ片とを一体成形している請求項５記載の便器洗浄タンク用排水弁の構造。
【請求項７】
オーバーフロー管の下部外周に上記弁体を挟持する鍔片と挟持片とを一体成形すると共に、同オーバーフロー管の上端部に排水操作用の操作ロッドを係止するロッド係止部を一体成形して成る請求項１乃至６いずれか１項記載の便器洗浄タンク用排水弁の構造。
【発明の詳細な説明】
【０００１】
【産業上の利用分野】
この発明は、便器洗浄タンク用の排水弁の改良に関する。
【０００２】
【従来の技術】
従来の便器洗浄タンクに用いる排水弁の中には、便器洗浄タンク内に溜めた給水を便器に対して排水する際に、タンク内に無駄な水が残るのを防止するために、上記排水弁に対して排水時における閉弁作動を遅延させる機能を具備せしめたものがある（実開昭６４−３１１７１号）。
【０００３】
図６にて示す様に、従来の便器洗浄タンク用排水弁ａは、便器洗浄タンク１００の底部に設けた排水口部材１０１の上に制御槽１０２を接続し、該制御槽１０２の中芯部にオーバーフロー管１０３を挿通して昇降自在に支持している。上記オーバーフロー管１０３は下部外周に挟持片１１０を周設し、該挟持片１１０により弁体１０４を挟持し、この弁体１０４を上記排水口部材１０１に形成した排水弁座１０１’に対して上方から開閉自在に着座してある。上記オーバーフロー管１０３の外周部からはフロートストッパー１１１を介してフロート体１０５を設け、このフロート体１０５を制御槽１０２の内部に設けた貯水室１０６内に収納し、同室１０６内において浮き沈み可能に構成してある。
上記オーバーフロー管１０３の上端部には、取付片１０７を介して便器洗浄タンク１００の排水レバー（図示せず）に連絡する鎖１０８が連結され、上記排水レバーの操作によりオーバーフロー管１０３が引き上げられて排水口部材１０１から便器へ向けて給水が行われる。
【０００４】
【発明が解決しようとする課題】
しかし、上記した排水弁ａは、排水口部材１０１、オーバーフロー管１０３、フロート体１０５の各構成部品がそれぞれ複数の部材を組み合わせて構成している為に、部品点数が多くなる。例えば、オーバーフロー管１０３等は、上下２つの部材を接着固定して一本に接続すると共に、上端部外周に鎖１０８を取付る取付片１０７を接着固定して構成し、さらに該管の下部外周に弁体１０４を挟持する挟持片１１０を接着固定している。
また、上記各部材１０１．１０３．１０５が螺合による締付けにより便器洗浄タンク１００に装着したり、接着により複数の部材同士を組み付けて１部材として構成する構造であるために、メンテナンスの際などに分解することができず、修理を行う時にも故障の原因となっている一部の部品を交換することが不可能であった。また、接着部の接着が不完全な場合などは、その部分から水漏れを生じる可能性もあった。
【０００５】
本発明の目的は、上記した如き便器洗浄タンク用排水弁に対して、部品点数の削減と構造の簡素化を実現し得る構造を提供し、コストダウンとメンテナンス性の向上を図ることにある。
【０００６】
【課題を解決するための手段】
上記目的を達成するために、本発明は、便器洗浄タンク内において上下動自在に支持せしめたオーバーフロー管と、該オーバーフロー管の外周に設けた弁体と、該弁体を上方から着座せしめるように上記便器洗浄タンク内の底部に設けた弁座と、上記便器洗浄タンク内における底面から所定高さに取り付け支持し、上記弁体の上記弁座への着座を遅延せしめる制御孔を開設した制御槽と、同制御槽内に上部が開口する形で形成した貯水室と、該貯水室において浮き沈み自在に収納し、上記オーバーフロー管と共動するフロートとを具備して成る便器洗浄タンク用排水弁において、前記オーバーフロー管と制御槽とフロートとの相互を着脱可能に組み付け、更に上記制御槽に係止部を設け、該係止部を、便器洗浄タンクの底面から立ち上げて適度な弾性を具有せしめた係止体に対し上方から着脱可能に掛止して成るものである。
【０００７】
請求項２記載の便器洗浄タンク用排水弁の構造によれば、上記制御槽の係止部を、上記制御槽の下端部に一体成形した。
【０００８】
請求項３記載の便器洗浄タンク用排水弁の構造によれば、上記係止体を、爪片と、該爪片の下方に所定の間隙を介して配設したストッパ片とから構成したものである。
請求項４記載の便器洗浄タンク用排水弁の構造によれば、上記爪片とストッパ片とを上記係止体に一体成形した。
【０００９】
請求項５記載の便器洗浄タンク用排水弁の構造によれば、上記係止体の爪片とストッパ片とをそれぞれ別体に形成すると共に、これらを便器洗浄タンク内の底面から立ち上げて形成した。
請求項６記載の便器洗浄タンク用排水弁の構造によれば、便器洗浄タンクを合成樹脂にて構成し、該便器洗浄タンクに爪片とストッパ片とを一体成形した。
【００１０】
請求項７記載の便器洗浄タンク用排水弁の構造によれば、オーバーフロー管の下部外周に上記弁体を挟持する鍔片と挟持片とを一体成形すると共に、同オーバーフロー管の上端部に排水操作用の操作ロッドを係止するロッド係止部を一体成形して成る。
【００１１】
【作用】
以上の手段によれば、オーバーフロー管は、便器洗浄タンク内において垂直状態にて上下昇降自在に支持される。上記オーバーフロー管の外周に設けた弁体は、便器洗浄タンクの底部に設けた弁座に対して上方から着座し、オーバーフロー管の上下動により開弁および閉弁する。
上記オーバーフロー管と、フロート体とは共動する関係にある。上記フロートは、便器洗浄タンク内の底面から所定の高さに取り付け支持した制御槽内の貯水室に収納されており、同貯水室内における水位の変動により、同貯水室内において浮き沈みする。上記フロートの浮力はオーバーフロー管および弁体を上昇させ、開弁状態を維持するだけの浮力を有する。
【００１２】
上記貯水室の底面壁には制御小孔が開設してあり、上記弁体が開弁した後、貯水室内に残る水が上記制御小孔から一定の時間をかけて便器洗浄タンク内の底部に排水される。制御小孔からの排水によって貯水室内における水位は低下し、これに伴って貯水室内に浮くフロートの位置も徐々に低下する。
そして、便器洗浄タンク内の水が殆ど排水された時点でオーバーフロー管下部の弁体が弁座に着座して閉弁状態となる。
また、上記制御槽に係止部を設ける一方、便器洗浄タンク内の底面には、適度な弾性を具備する係止体が立ち上げてある。そして、上記制御槽の係止部をタンクの底面から立ち上がる係止体を弾性的に係止することにより、制御槽がタンク内底面から所定の高さに取り付け支持される。また、上記係止体を制御槽の係止部から弾性的に離脱させることにより、制御槽を取り外すことができる。
【００１３】
請求項２記載の排水弁構造においては、上記制御槽の係止部を同制御槽の下端部に一体成形される。
請求項３記載の排水弁構造においては、上記係止体が、爪片と、ストッパ片とから構成されており、制御槽の係止部を上記ストッパ片に当接させた状態で、爪片を弾性的に係止することにより、制御槽自体がタンク内における所定の高さに取り付け支持される。また、上記爪片を弾性変形させて制御槽の係止部から離脱させることにより、制御槽を取り外すことができる。
【００１４】
請求項４記載の排水弁構造においては、係止体を構成する爪片と、ストッパ片とが一体成形される。
請求項５記載の排水弁構造においては、上記爪片とストッパ片とがそれぞれ別体に成形され、これらが便器洗浄タンクの底面から別々に立ち上がっている。
請求項６記載の排水弁構造においては、上記爪片とストッパ片とが合成樹脂にて成形した便器洗浄タンクの底面にて一体成形されている。
【００１５】
請求項７記載の排水弁構造は、オーバーフロー管の下部外周に鍔片と挟持片とが一体成形され、これらの間に弁体が挟持される。又、上記オーバーフロー管の上端部にはロッド係止部が一体成形してあり、このロッド係止部に排水操作用の操作ロッドが係止される。上記操作ロッドが操作されることにより、ロッド係止部を介してオーバーフロー管が引き上げられ、開弁状態となる。
【００１６】
【実施例】
以下、本発明の一実施例を図面に基づいて説明する。
図１及び図２にて示す便器洗浄タンク装置Ａは、洋式便器ｆの背部に設置するタイプのものであり、陶器からなる化粧タンクｂ１の内部に実際の容器となる樹脂製の内部タンクｂ２を内設して構成してある。
【００１７】
化粧タンクｂ１は、便器ｆの背部に設置される内部タンクｂ２を上からカバーするものであり、便器ｆ背部の接続口ｆ１に対して上から被せて設置してある。
上記化粧タンクｂ１の内部に収納される内部タンクｂ２は、上部が開口する略箱形の容器であり、便器ｆの背部上に設置してある。また、内部タンクｂ２はタンク内底面壁の中央部に排水口ｂ３を開設し、該排水口ｂ３の下端部を下面へ向けて突出させ、便器ｆの給水口ｆ２に接続してある。
上記内部タンクｂ２の内部には排水弁ａと、ボールタップ給水栓ｃを内設してある。
【００１８】
ボールタップ給水栓ｃは、本体ｃ１を内部タンクｂ２の上部側壁に取付支持し、同内部タンクｂ２の外側に突出する一次側接続口ｃ４に対し、便器ｆを貫通させて配管した給水管ｄを接続することにより、給水源に連絡せしめてある。また、ボールタップ給水栓ｃ本体ｃ１の二次側接続口ｃ５には吐出口ｃ６を接続し、上記給水栓ｃから吐水された水が内部タンクｂ２の底部に向けて吐水されるようになっている。
【００１９】
上記ボールタップ給水栓ｃは、本体ｃ１の内部にダイヤフラム弁（図示せず）を内設してあり、該ダイヤフラム弁の開閉を制御する揺動アームｃ２を本体ｃ１から延出し、その先端に浮き子ｃ３を設けて構成してある。
よって、排水に伴って内部タンクｂ２内の水位が下がると、上記浮き子ｃ３が降下し、本体ｃ１内のダイヤフラム弁が開弁して吐水が開始される。また、ボールタップ給水栓ｃからの吐水により内部タンクｂ２内の水位が満水付近まで上昇すると、浮き子ｃ３の上昇により本体ｃ１内のダイヤフラム弁が閉弁し、行われていた吐水が停止する。
【００２０】
上記内部タンクｂ２内の底面中央部には排水口ｂ３が開設され、この排水口ｂ３の直上に排水弁ａを設けてある。
排水弁ａは、上記排水口ｂ３の上端に形成した排水弁座ｂ４に対して上方から着座する弁体１と、該弁体１を取付支持するオーバーフロー管２と、該オーバーフロー管２を排水口ｂ３の直上にて上下動自在に支持する制御槽３と、この制御槽３の内部に形成した貯水室３ａ内に収納するフロート体４とから構成してある。
【００２１】
上記制御槽３は、フロート体４のフロート４０を収納する円筒形の容器であり、合成樹脂により一体成形し、後述するストッパ片５ａと爪片５ｂを介して、上記排水口ｂ３直上における所定の高さにて取付支持してある。
【００２２】
制御槽３は、円筒形の外筒３１と、上記オーバーフロー管２を挿通させる内筒３２とを同芯させて配置すると共に、この内外両筒３２，３１を底面壁により一体に連絡することにより、制御槽３の内部に上面が開口する円形の貯水室３ａを形成してある。また、上記貯水室３ａの底面には制御小孔３３を開設し、この制御小孔３３から貯水室３ａ内の水が所定の時間をかけて排水されるように構成してある。
また、上記外筒３１の下端部外周には平面視四角形の係止片３５を一体に突出形成し、該係止片３５の四隅部分に後述する爪片５ｂを掛止する係止孔３４を開設してある。
【００２３】
上記制御槽３の内筒３２の内部にはオーバーフロー管２が垂直に貫挿してある。
オーバーフロー管２は、内部タンクｂ２内において垂直に立つ管状体であり、合成樹脂を用いて一体成形してある。上記オーバーフロー管２は、制御槽３の内筒３２の内部に対して上下摺動自在に挿通し、その下端口を内部タンクｂ２の底面壁の中央部に開設した排水口ｂ３内に嵌挿してある。
上記オーバーフロー管２の下部外周には鍔片２１を一体に周設し、該鍔片２１と挟持片２２との間にゴムもしくは軟質合成樹脂から成る円板上の弁体１をはめ込んで上記両部材２１，２２により挟持してある。上記弁体１は、内部タンクｂ２の排水口ｂ３の排水弁座ｂ４に対して上方から着座し、上記オーバーフロー管２の引き上げにより開弁する。
【００２４】
オーバーフロー管２の上端部には、排水操作を行う操作ロッドｅの屈曲部ｅ１を係止する係止部２３を設けてある。
係止部２３は、オーバーフロー管２の上端口からさらに上方へ突出する略コ形の片であり、オーバーフロー管２と一体に成形してある。上記掛止部２３とオーバーフロー管２上端口との間には環状部が形成され、この環状部に便器洗浄タンクの操作ロッドｅ屈曲部ｅ１を側方から挿入してある。
【００２５】
図１および図２にて示す様に、操作ロッドｅは、内部タンクｂ２の両側壁管に水平に架設した状態で回動可能に支持し、その中央部をくの字に屈曲させて屈曲部ｅ１を突出形成してある。上記操作ロッドｅは、一端部直角に屈曲させ、化粧タンクｂ１の側面に取りつけた操作レバーｅ２に接続してあり、上記操作レバーｅ２を回動させることにより、中央に屈曲する屈曲部ｅ１が上下方向に回動し、この回動により、係止部２３およびオーバーフロー管２が引き上げられて弁体１が開弁するように構成してある（図１）。
【００２６】
従来の排水弁においては、操作ロッドの先端部を連結する部材をオーバーフロー管２の上端部に取付け、この連結部材と操作ロッドの先端部とを鎖により連結する構造を採用していた。しかし、上記したように、操作ロッドｅの屈曲部ｅ１を係止する係止部２３を、オーバーフロー管２の先端部に対して一体に成形することによれば、部品点数を削減すると共に、メンテナンス性を向上することができる。
また、図３にて示すように、上記オーバーフロー管２の上部寄りの外周面には２個のピン２４を対向させて設けると共に、同ピン２４の下に段差部２５を周設し、フロート体４の取付部を構成してある。
【００２７】
フロート体４は、制御槽３の貯水室３ａ内に収納するフロート４０を具備している。
フロート４０は、制御槽３の内筒３２の外周に遊嵌合する中筒部４１と、制御槽３の外筒３１の内側に遊嵌合する外筒部４２とを同芯させて配置すると共に、上記外筒部４２と中筒部４１の間に形成される空間の上部口を上壁面４３により閉塞して構成してある。上記したように構成したフロート４０の空気室４ａは下面が開口しているが、同空気室４ａは上面が閉塞する容器状に形成されるため、水が溜められた制御槽３の貯水室３ａ内に上方から挿入すると、フロート４０の内部に密室が形成され、必要な浮力を発生せしめることができる。
【００２８】
上記フロート４０の中筒部４１の上端部にはリング状の取付部４４を一体成形してある。
取付部４４は、フロート４０を上記オーバーフロー管２の外周部に対して取付固定するためのものであり、オーバーフロー管２の取付部の外周に摺動自在な範囲でぴったりと嵌合する内径に形成してある。
取付部４４の外周面には、オーバーフロー管２外周のピン２４を掛止する略Ｌ形の掛止溝４５を対向させて切欠してある。両掛止溝４５は、フロート体４の中筒部４１の上部に開設した切欠口４６から上方へ伸びた後、円周方向へ水平に屈曲するよう略Ｌ形に形成し、その最奥部にピン２４をきつく嵌合して抜け止めする抜止め部４５ａを形成してある。
【００２９】
上記した如く構成したフロート体４をオーバーフロー管２に対して取付固定する際には、中筒部４１をオーバーフロー管２の上端から嵌装し、オーバーフロー管２の外周に突出する２個のピン２４を中筒部４１の取付部４４の掛止溝４５内に嵌合した後、取付部４４を円周方向に回して、ピン２４を掛止溝４５最奥部の抜止め部４５ａに掛止する。
これにより、フロート体４は、上記したピン２４と掛止溝４５との掛止関係で、上下および円周方向の動きが禁止され、オーパーフロー管２に対して確実に取付固定される。
また、オーバーフロー管２と制御槽３とフロート体４の三者の組み付けに際しては、制御槽３の貯水室３ａ内にフロート体４を遊嵌合した状態を保持し、上記状態の制御槽３の中心部に下方からオーバーフロー管２を挿通させ、同オーバーフロー管２に対してフロート体４を上述した取り付け要領にて取り付け固定することにより、上記三者の組み付けが完了する。そして、組み付けされた制御槽３の内部タンクｂ２への取り付け支持は、制御槽３下端部に設けた係止片３５を内部タンクｂ２の底面から突出させた係止体５に対して係止することにより行う（図３）。
【００３０】
以上の如く構成した排水弁の制御槽３は、内部タンクｂ２の底面壁から突出する係止体５により所定の高さに取り付け支持されている。
上記係止体５は、４本のストッパ片５ａと、４本の爪片５ｂとにより構成されている。
ストッパ片５ａは、内部タンクｂ２の排水口ｂ３周りの底面壁から突出する棒状体であり、内部タンクｂ２の底面壁から一体に突出している。上記ストッパ片５ａは、所定の高さ、即ち制御タンク３の取付高さと対応させてあり、同ストッパ片５ａの上端に制御槽３下端部外周に突出させた係止片３５を載せることにより、同内部タンクｂ２における貯水室３ａの底面が、内部タンクｂ２内の底面から所定の高さに位置するように構成してある。上記ストッパ片５ａは制御槽３の係止片３５四隅部分に対応させるため、排水口ｂ３の周囲４箇所に設けてある。
【００３１】
また、各爪片５ｂは、上記した各ストッパ片５ａの隣にそれぞれ配置し、ストッパ片５ａと同様に内部タンクｂ２の底面壁から一体に突出形成してある。また、爪片５ｂの上端部には、爪部５１が形成してある。爪部５１は、外側へ向けて形成され、制御槽３の外筒３１下端部に設けた係止片３５の係止孔３４に掛止する。
前記したように、制御槽３の外筒３１の下端部外周には平面視四角形の係止片３５を設け、その四隅に係止孔３４を開設してある。上記した各係止孔３４には爪片５ｂの先端を下から挿入し、爪部５１を上記係止片３５の上面に掛止する。よって、制御槽３の係止片３５の四隅は、ぞれぞれストッパ片５ａの上端と爪片５ｂの爪部５１により上下から挟持される。これにより、制御槽３は内部タンクｂ２の底面から所定の高さにて取付支持される。
【００３２】
上記爪片５ｂは適度に弾性変形し、爪部５１上部を排水口ｂ３側へ向けて押し込むことにより、上記爪部５１が係止孔３４から外れるように構成してあるため、手でもって上記爪部５１の掛止を外すことにより、制御槽３を簡単に脱着することができる。
また、上記した如く構成した排水弁ａにおいては、オーバーフロー管２、制御槽３、フロート体４を全て一体成形すると共に、接着やねじ止めを使用せずに着脱可能な係合構造により連結してあるので、部品点数を大幅に削減することができると共に、各部材の組み立てや分解を工具を使用することなく簡単に行うことができ、メンテナンスや修理の作業性を向上することもできる。
【００３３】
以上のように構成した便器洗浄タンクＡにおいては、操作レバーｅ２を操作して操作ロッドｅを回動させると、同操作ロッドｅの屈曲部ｅ１が係止部２３を介してオーバーフロー管２およびフロート体４を引き上げ、排水口ｂ３の上端に形成した排水弁座ｂ４に着座していた弁体１を開弁する。
排水弁ａが開弁して内部タンクｂ２内の水が便器ｆに対して排水されると、同内部タンクｂ２内における水位が急速に低下する。内部タンクｂ２内の水位が低下しても、排水直後において、制御槽３の貯水室３ａ内には水が残り、満水状態を維持している。よって、上記貯水室３ａ内に収納されるフロート４０には浮力が生じ、この浮力により引き上げられたオーバーフロー管２は上昇して全開位置にて保持される。
【００３４】
排水口ｂ３からの排水が進行して、内部タンクｂ２内の水位が制御槽３上端面よりも下に下がると、貯水室３ａ内に残る水が上記制御小孔３３から排水され始め、同貯水室３ａ内における水位の低下と共に、フロート４０およびオーバーフロー管２が降下し、一定時間後に弁体１が排水口ｂ３の排水弁座ｂ４に着座して閉弁される。
【００３５】
一方、上記したように排水が開始されて内部タンクｂ２内の水位が下がった時点で、ボールタップ給水栓ｃの浮き子が降下して、同給水栓ｃから吐水が開始される。そして、上記したように排水終了時に弁体１が排水口ｂ３を閉鎖した直後から次の給水として内部タンクｂ２内に貯水され、タンクｂ２内は再び満水状態を維持する。
【００３６】
【発明の効果】
本発明は以上説明したように、便器洗浄タンク用の排水弁を構成するオーバーフロー管と、制御槽と、フロートとの相互を着脱可能に組み付けて成るものであるから、排水弁の分解、若しくは組み付け作業を容易に行うことができ、その結果、メンテナンスや修理の作業効率を向上することができる。
しかも、制御槽に係止部を設け、該係止部を便器洗浄タンクの底面から立ち上げた係止体に対して上方から着脱可能に掛止してなるものであるから、上記した係止部に対して適度な弾性を有する係止体を掛止することにより、上記制御槽を便器洗浄タンク内の所定高さに取り付け支持することができ、また、上記係止体を弾性変形させて係止部から離脱させることにより、制御槽を簡単に取り外すことができる。
【００３７】
請求項２記載の排水弁構造は、制御槽の係止部を同制御槽の下端部に一体成形したものであるから、制御槽の成形と同時に上記係止部を一体成形することが可能となり、製造コストのダウンを図ると共に、制御槽に対して係止部材を取り付ける作業を省くことができる。
【００３８】
請求項３記載の排水弁構造は、係止体を、爪片とストッパ片とから構成したものであるから、制御槽の係止部を上記ストッパ片に上から当接した状態で爪片を弾性的に掛止することにより、制御槽を便器洗浄タンク内における所定の高さに、簡単且つ正確に取りつけ支持することができる。
【００３９】
請求項４記載の排水弁構造は、爪片とストッパ片とを一体成形することにより係止体を構成したものであるから、爪片とストッパ片とのそれぞれの構成を簡素化することができ、また、部品点数の削減によりコストダウンを図ることができる。
【００４０】
請求項５記載の排水弁構造は、係止体の爪片とストッパ片とを別体に形成し、これらを便器洗浄タンクの底面から立ち上げて形成したものであるから、制御槽を便器洗浄タンク内における所定の高さに、正確且つ強固に取り付け支持することができる。
【００４１】
請求項６記載の排水弁構造は、便器洗浄タンクを合成樹脂により成形すると共に、該タンクの底面に爪片とストッパ片とを一体成形したものであるから、上記爪片とストッパ片とを便器洗浄タンクと同時に一度に成形することができ、コストダウンを図ると共に、爪片とストッパ片の組み付け作業の手間を省くことができる。
【００４２】
請求項７記載の排水弁構造は、弁体を挟持する鍔片と挟持片、及び排水操作用の操作ロッドを係止するロッド係止部をオーバーフロー管の下部呼び上端部にそれぞれ一体成形したものであるから、オーバーフロー管に付属する鍔片、挟持片、ロッド係止部の各部材をオーバーフロー管の成形と共に一体成形することが可能となり、部品のコストダウンを図ると共に、上記各部材の組み付け作業を省くことができる。
【図面の簡単な説明】
【図１】本発明を実施した排水弁を具備する便器洗浄タンク装置を示す縦断面図。
【図２】同タンクの横断平面図。
【図３】排水弁の分解斜視図。
【図４】図１におけるIV-IV 線断面図。
【図５】図４におけるV-V 線断面図。
【図６】従来の便器洗浄タンク用排水弁を示す縦断面図。
【符号の説明】
ａ      排水弁
ｂ２      内部タンク
ｆ      便器
１      弁体
２      オーバーフロー管
３      制御槽
３ａ      貯水室
４      フロート体
５      係止体
５ａ      ストッパ片
５ｂ      爪片
２４      ピン
２１      鍔片
２２      挟持片
２３      係止部
４０      フロート
４４      取付部
４５      掛止溝
５１      爪部
【図１】
0003546531.tif 000002
【図２】
0003546531.tif 000003
【図３】
0003546531.tif 000004
【図４】
0003546531.tif 000005
【図５】
0003546531.tif 000006
【図６】
0003546531.tif 000007